(57)【特許請求の範囲】
【請求項１】
エンジン駆動溶接機の溶接機エンジンを管理するための方法であって、
前記エンジン駆動溶接機に関する溶接機パラメータを継続的に監視することと、
前記溶接機エンジンに影響を及ぼす環境パラメータを継続的に監視することと、
前記溶接機パラメータ及び前記環境パラメータに少なくとも部分的に基づいて再始動値を継続的に計算することであって、該再始動値は前記溶接機エンジンが最初の再始動の試みで再始動する可能性を示す、ことと、
活動履歴を維持するよう前記溶接機エンジンに関する活動を継続的に監視することと、
前記再始動値を運転範囲と比較することであって、該運転範囲は前記溶接機エンジンを運転し続けるための再始動値の範囲を含む、ことと、
前記活動履歴に少なくとも部分的に基づいて且つ前記運転範囲の外側にある前記再始動値に少なくとも部分的に基づいて前記溶接機エンジンを停止させるための停止信号を送信することと、
を含む方法。
【請求項２】
前記溶接機エンジンに関する前記活動は溶接作業に電力を供給することを含む、請求項１に記載の方法。
【請求項３】
溶接機パラメータは燃料消費量を含む、請求項１又は２に記載の方法。
【請求項４】
前記溶接機パラメータは、バッテリ充電レベル及び／又はバッテリ健全性レベルを含む、請求項１〜３のいずれか一項に記載の方法。
【請求項５】
前記エンジン駆動溶接機に動作可能に連結される周辺機器に関する補助パラメータを継続的に監視することを更に含み、
前記再始動値は、更に、前記補助パラメータに少なくとも部分的に基づく、
請求項１〜４のいずれか一項に記載の方法。
【請求項６】
前記補助パラメータは圧力値を含む、請求項５に記載の方法。
【請求項７】
前記活動履歴及び運転範囲外側にある前記再始動値に少なくとも部分的に基づいて、前記溶接機エンジンを停止させる前に、エンジンを遮断するための前記周辺機器を準備することを更に含む、請求項５に記載の方法。
【請求項８】
前記再始動値が前記運転範囲に再度入る場合に前記溶接機エンジンを再始動させる再始動信号を送信することを更に含む、請求項１〜７のいずれか一項に記載の方法。
【請求項９】
前記溶接機エンジンを運転したままにするよう前記停止信号をオーバーライドすることを更に含む、請求項１〜８のいずれか一項に記載の方法。
【請求項１０】
エンジン駆動溶接機であって、
溶接作業のための電力を発生させるために少なくとも部分的に用いられるエンジンと、
前記エンジンと動作可能に連結されるエンジン駆動溶接システムと、
前記エンジン駆動溶接機に関する溶接機パラメータを監視する溶接機監視コンポーネントと、
外部環境に関する環境パラメータを監視する環境監視コンポーネントと、
活動履歴を維持するよう前記エンジン駆動溶接機に関する活動を監視する活動監視コンポーネントと、
前記溶接機パラメータ及び前記環境パラメータに少なくとも部分的に基づいて再始動値を計算する停止−始動コントローラコンポーネントと、を備え、
前記再始動値は前記エンジンが最初の再始動の試みで再始動する可能性を示し、
前記停止−始動コントローラコンポーネントは、前記活動履歴及び前記再始動値と運転範囲との比較に基づいて、前記エンジンを停止又は始動させ、
前記運転範囲は前記エンジンを運転し続けるための再始動値の範囲を含む、
エンジン駆動溶接機。
【請求項１１】
前記エンジンに関する前記活動は溶接作業に電力を供給することを含む、請求項１０に記載の溶接機。
【請求項１２】
前記溶接機パラメータは、バッテリ充電レベル及び／又はバッテリ健全性レベルを含む、請求項１０又は１１に記載の溶接機。
【請求項１３】
前記エンジン駆動溶接機に動作可能に連結される周辺機器に関する補助パラメータを監視する補助監視コンポーネントを更に備え、
前記再始動値は、更に、前記補助パラメータに少なくとも部分的に基づく、
請求項１０〜１２のいずれか一項に記載の溶接機。
【請求項１４】
前記補助パラメータは圧力値を含む、請求項１３に記載の溶接機。
【請求項１５】
前記活動履歴及び運転範囲外側にある前記再始動値に少なくとも部分的に基づいて、前記エンジンを停止させる前に、エンジンを遮断するための前記周辺機器を準備する補助コントローラコンポーネントを更に備える、請求項１３又は１４に記載の溶接機。
【請求項１６】
前記活動履歴及び前記再始動値と運転範囲との前記比較に基づいて、前記エンジンを停止又は始動させることに関して、前記停止−始動コントローラコンポーネントをオーバーライドするオーバーライドコンポーネントを更に備える、請求項１０〜１５のいずれか一項に記載の溶接機。
【請求項１７】
溶接システムであって、
溶接作業用の電力を提供するためのエンジンと、
前記エンジンに関する溶接機パラメータを継続的に監視するための手段と、
前記エンジンに影響を及ぼす環境パラメータを継続的に監視するための手段と、
前記溶接機パラメータ及び前記環境パラメータに少なくとも部分的に基づいて再始動値を継続的に計算するための手段であって、該再始動値は前記エンジンが最初の再始動の試みで再始動する可能性を示す、手段と、
活動履歴を維持するよう前記エンジンに関する活動を継続的に監視するための手段と、
前記再始動値を運転範囲と比較するための手段であって、該運転範囲は前記エンジンを運転し続けるための再始動値の範囲を含む、手段と、
前記活動履歴及び前記運転範囲の外側にある前記再始動値に少なくとも部分的に基づいて前記エンジンを停止させるための手段と、
を備える溶接システム。
【請求項１８】
前記エンジンと動作可能に連結される周辺機器に関する補助パラメータを継続的に監視するための手段を更に備え、
前記再始動値は前記補助パラメータに少なくとも部分的に基づく、
請求項１７に記載の溶接システム。
【請求項１９】
前記活動履歴及び運転範囲外側にある前記再始動値に少なくとも部分的に基づいて、前記エンジンを停止させる前に、エンジンを遮断するための前記周辺機器を準備するための手段を更に備える、請求項１８に記載の溶接システム。
【請求項２０】
前記溶接機パラメータは、バッテリ充電レベル及び／又はバッテリ健全性レベルを含む、請求項１７〜１９のいずれか一項に記載の溶接システム。
【発明の詳細な説明】
【技術分野】
【０００１】
本明細書中に説明する発明は、一般に、少なくとも溶接機及び外部環境に関するパラメータに基づいて、エンジン駆動溶接機のエンジンを始動及び停止するためのシステム及び方法に関する。
【背景技術】
【０００２】
溶接機を含むエンジン駆動装置は、過酷な経済的及び環境的制約を次第に受けている。両方に関して、燃料効率が問題である。更に、排気、エンジン摩耗、及び他の要因が、その作動に対して緊急の要求が無い場合に、エンジンを停止させることを奨励する可能性がある。
【０００３】
しかし、エンジンに影響を及ぼす内部及び外部変数を考慮せずにエンジンを勝手に停止させることは、エンジンを再始動し、電極及び／又は母材を再加熱する時間を失うオペレータに対して、よくても、不都合である可能性がある。しかし、寒冷気候、劣化したバッテリ健全性、及びその他等のある特定の条件の下で、不注意にエンジンを停止させることにより、再始動が極めて難しかったり、不可能であったりする恐れがある。
【発明の概要】
【課題を解決するための手段】
【０００４】
エンジンを駆動する溶接機の始動及び停止動作を向上させるために、本発明は、請求項１による方法、請求項１０によるエンジン駆動溶接機、及び請求項１７による溶接システムを提案する。好ましい実施形態は、説明、図面から、及び／又は、従属クレームから得られてもよい。本発明によれば、エンジン駆動溶接機の溶接機エンジンを管理するための方法であって、エンジン駆動溶接機に関する溶接機パラメータを継続的に監視することと、溶接機エンジンに影響を及ぼす環境パラメータを継続的に監視することと、エンジンパラメータ及び環境パラメータに少なくとも部分的に基づいて再始動値を継続的に計算することと、活動履歴を維持するようエンジンに関する活動を継続的に監視することと、活動履歴及び運転範囲の外側にある再始動値に少なくとも部分的に基づいてエンジンを停止させることとを含む方法が提供される。
【０００５】
本発明によれば、エンジン駆動溶接機が提供される。エンジン駆動溶接機は、溶接作業のための電力を発生させるために少なくとも部分的に用いられるエンジンと、エンジンと動作可能に連結されるエンジン駆動溶接システムと、エンジン駆動溶接機に関する溶接機パラメータを監視する溶接機監視コンポーネントと、外部環境に関する環境パラメータを監視する環境監視コンポーネントと、活動履歴を維持するようエンジン駆動溶接機に関する活動を監視する活動監視コンポーネントと、溶接機パラメータ及び環境パラメータに少なくとも部分的に基づいて再始動値を計算する停止−始動コントローラコンポーネントとを備える。停止−始動コントローラコンポーネントは、活動履歴及び再始動値と運転範囲との比較に基づいて、前記エンジンを停止又は始動させる。
【０００６】
本発明によれば、溶接システムであって、溶接作業用の電力を提供するための手段と、溶接作業用の電力を提供するための手段に関する溶接機パラメータを継続的に監視するための手段と、溶接機エンジンに影響を及ぼす環境パラメータを継続的に監視するための手段と、エンジンパラメータ及び環境パラメータに少なくとも部分的に基づいて再始動値を継続的に計算するための手段と、活動履歴を維持するようエンジンに関する活動を継続的に監視するための手段と、活動履歴及び運転範囲の外側にある再始動値に少なくとも部分的に基づいてエンジンを停止させるための手段とを備える溶接システムが提供される。
【０００７】
本発明のこれら及び他の目的は、図面、詳細な説明、及び添付特許請求の範囲に照らし合わせて考察した場合に明らかとなるであろう。
【図面の簡単な説明】
【０００８】
本発明は、ある特定の部品及び部品の配置において物理的な形態を取ってもよく、その好ましい実施形態を、明細書において詳細に説明し、これに関する部分を形成する添付図面において図示する。
【図１】図１は、原動機を電源として含む溶接装置を示す図である。
【図２】図２は、溶接装置を示す図である。
【図３】図３は、可動性のためにトレーラに取り付けられる溶接装置を示す図である。
【図４】図４は、溶接装置の少なくとも一部を示す図である。
【図５】図５は、停止−始動コントローラコンポーネントを含む溶接装置を示す図である。
【図６】図６は、停止−始動コントローラを含む溶接装置を示すブロック図である。
【図７】図７は、停止−始動コントローラコンポーネント及び補助コンポーネントを含む溶接装置を示すブロック図である。
【図８】図８は、内部及び外部変数及びパラメータに基づいてエンジン駆動溶接機のエンジンを停止させるための方法のフロー図である。
【図９】図９は、内部及び外部変数及びパラメータに基づいてエンジン駆動溶接機のエンジンを始動させるための別の方法のフロー図である。
【図１０】図１０は、内部及び外部変数及びパラメータに基づいてエンジン駆動溶接機のエンジンを制御するための更なる方法のフロー図である。
【発明を実施するための形態】
【０００９】
主題のイノベーションは、それに関係するエンジンを停止及び始動させるためのエンジン駆動溶接システム及び方法に関する。内部（例えば、システムに関する、又は、それによって影響される）及び外部（例えば、システムの統計的影響の外側又はそれを超える）パラメータ及び活動レベルは、エンジンの停止又は始動をもたらして信頼性及び効率を高めるために評価することができる。再始動値は、以下で検討するような変数又はパラメータに基づいて、計算することができる。再始動値に基づいて、コントローラは、エンジンを始動又は停止するか、他の措置を講じて、信頼性又は他の作業効率を損なうことなく、燃費を向上させることができる。
【００１０】
主題のイノベーションは、いずれかの適切なエンジン駆動溶接機、エンジン駆動溶接システム、エンジン駆動溶接装置、エンジンを原動力とする溶接システム、エネルギ蓄積装置を原動力とする溶接システム、明示的に挙げられていないその他、及び／又は、それらの組み合わせと共に用いることができる。溶接作業を行うことができるいずれかの適切なシステム、装置、又は機器は、主題のイノベーションと共に用いることができ、それらは、主題の発明の実施形態の意図する適用範囲から逸脱することなく、確実な技術的判断により選択することができることは、正しく認識するべきである。エンジン駆動溶接機は、コンセント電力が利用できない場所又はコンセント電力が可搬型発電、バックアップ発電、加熱、プラズマ切断、溶接、及びガウジングを含む単独の電力源として頼れない場合に、様々な用途に用いることができる電源を含むことができる。本明細書中に検討する実施例は、アーク溶接、プラズマ切断、及びガウジング作業等の溶接作業に関する。電源は電力の一部を発生させることができ、ここで、電力の一部は電気出力であることは、正しく認識するべきである。本明細書中で用いるような「電源」は、原動機、エンジン、発電機、エネルギ蓄積装置、電気出力を生成するコンポーネント、電気出力を変換するコンポーネント、又はそれらの組み合わせを含むことができることは、正しく認識するべきである。制限ではなく、例として、図１〜４は、主題のイノベーションと共に利用できる溶接システム又は装置を示している。以下の溶接システムは、例示する目的のためだけに説明され、主題のイノベーション又はその変形例を利用できる溶接システムに関して制限するものではないことを、正しく認識するべきである。
【００１１】
図１は、溶接型装置１００を示している。溶接型装置１００は、溶接装置の内部コンポーネントを囲むハウジング１１２を含んでいる。任意に、溶接型装置１００は、積載用アイフック１１４及び／又はフォーク凹部を含む。積載用アイフック１１４及びフォーク凹部は、溶接型装置１００の可搬性を助長する。任意に、溶接型装置１００は、装置可動性の手段としてハンドル及び／又は車輪を含んでいてもよい。ハウジング１１２は、複数の点検用パネル１１８、１２０も含んでいる。点検用パネル１１８はハウジング１１２の上部パネル１２２に対するアクセスを提供する一方で、点検用パネル１２０はハウジング１１２の側面パネル１２４に対するアクセスを提供する。類似の点検用パネルが、反対側で利用可能である。これらの点検用パネル１１８、１２０は、例えば、溶接型の電力を提供するために適したエネルギ蓄積装置を含む溶接型装置１００の内部コンポーネントに対するアクセスを提供する。端部パネルは、ハウジング１１２を通る気流を可能にするよう、ルーバ付開口部を含んでいる。
【００１２】
溶接型装置１００のハウジング１１２は、また、内燃エンジンを収容している。エンジンは、ハウジング１１２を通って突出する排気ポート１３０及び燃料ポート１３２と動作可能に連結される。排気ポート１３０は、ハウジング１１２の上部パネル１２２の上で延在し、溶接型装置１００から離れる方へ排出ガスを向ける。燃料ポート１３２は、上部パネル１２２又は側面パネル１２４を超えて延在しないことが好ましい。かかる構造は、溶接型装置１００の運搬及び作動中に燃料ポート１３２を破損から保護している。
【００１３】
ここで図２を参照すると、図示するのは、主題のイノベーションと共に利用することができる溶接型機器２０５の斜視図である。溶接型機器２０５は、電源２１０の内部コンポーネントを収容するハウジング２１２を含む電源２１０を含んでいる。以下でより詳細に説明するように、ハウジング２１２は、制御コンポーネント２１３を収容している。任意に、溶接型機器２０５は、１つの場所から別の場所へ溶接システムを搬送するためのハンドル２１４を含む。溶接プロセスを実現するため、溶接型機器２０５は、トーチ２１６並びに接地用クランプ２１８を含んでいる。接地用クランプ２１８は、溶接すべき母材２２０を接地するよう構成される。公知の通り、トーチ２１６が母材２２０の比較的近傍にある場合、溶接アーク又は切断アークが、特定の溶接型装置に応じて、生じる。トーチ２１６及び接地用クランプ２１８をハウジング２１２に接続するのは、それぞれ、一対のケーブル２２２及び２２４である。
【００１４】
溶接アーク又は切断アークは、交換可能なエネルギ蓄積装置２２６から受け取る未処理の電力を調整することによって、電源によって、時には又は部分的に、生成されてもよい。エネルギ蓄積装置２２６は、ハウジング２２８内に入れられている。ハウジング２２８は、溶接型機器２０５のハウジングに固定でき、それによって、溶接型機器２０５を形成する。特に、エネルギ蓄積装置２２６は、締結手段２３０を介して電源２１０に固定される。締結手段２３０は、エネルギ蓄積装置２２６が繰り返し固定され、電源２１０から解除されることを可能にするよう、クリップ、ロッキングタブ、又は他の手段を含んでもよいことが考えられる。
【００１５】
図３は、３０１で概して図示するトレーラヒッチ部又はヒッチ装置を組み込むトレーラ３００を示している。トレーラ３００は、トレーラフレーム部３０２と、トレーラフレーム部３０２と回転接続する１つ以上のトレーラ車輪３０４とを含んでいてもよく、更に、例示的な方法で、溶接電力供給装置３０９又はエンジン駆動溶接電力供給装置３０９であってもよい１つ以上の貨物品を担持するための積載領域３０６を含んでいてもよい。トレーラ３００は、また、トレーラ３００の前端部３１２の高さを調節するための調節可能なスタンド３１０を含んでいてもよい。しかし、何らかの手段が、トレーラ３００の前端部３１２を上昇及び／又は下降させるために用いられてもよい。トレーラヒッチ部３０１は、略長手方向で、実質的に剛体のトレーラヒッチ部３０１であってもよく、ねじ付ボルトであってもよい締結具３１４を介してフレーム部３０２に取り付けられてもよい。
【００１６】
図４は、本明細書中の態様のいくつかの実施形態に共通するコンポーネントの図を示している。溶接機４００は、内部コンポーネントが露出され、燃料貯蔵部４１１、原動機駆動溶接機アセンブリ４１２、及び原動機４１３に対する図を提供して示されている。溶接機４００は、また、用途に応じて常設位置に取り付けられてもよいことは、正しく認識されよう。溶接機４００は、一般に、燃料貯蔵部４１１から燃料を受け取り、溶接機４００が可搬であることを可能にする原動機４１３を有する原動機駆動溶接機アセンブリ４１２を含む。実施形態において、溶接機４００は、ハイブリッド溶接機であり、ハイブリッド溶接用のエネルギ蓄積装置を含むことができる。代替として、バッテリ源（例えば、原動機４１３を始動させ、制御部を点灯させ、電力を供給する）が、溶接作業に対して影響を及ぼさない溶接機４００の動作及び機能のために存在していてもよい。原動機４１３は、ガソリン、ディーゼル、エタノール、天然ガス、水素、等を含むがこれらに限定されない、いずれかの公知の燃料で動作する内燃エンジンであってもよい。これらの実施例は、他の原動機又は燃料が用いられてもよいように、制限するものではない。
【００１７】
原動機４１３及び他の電力供給手段（例えば、バッテリ電力、補助有線接続）は、溶接機４００によって電力供給されるか、実行される溶接作業及び何らかの補助動作のための電気を提供するよう、個々に、又は、連係して動作してもよい。例えば、個々の動作は、原動機４１３を動作させること、及び、必要に応じて、原動機４１３からの電力をハイブリッド溶接機のエネルギ蓄積装置からの電力で補うこと、又は、原動機４１３がオフラインの場合にエネルギ蓄積装置単体からの電力を供給することを含んでいてもよい。連係動作は、また、所望の電力出力を得るよう、原動機４１３及び補助電力接続（例えば、コンセントへのプラグ）からの電力を組み合わせることを含んでいてもよい。本発明の一態様によって、原動機４１３は、通常必要とするよりも低い電力出力を有していてもよく、別の電源（原動機４１３の動作に加えて）が、所望の電力出力レベルまでそれを上昇させるよう用いられてもよい。一実施形態において、１９ｋＷ（２５ｈｐ）以下の出力を有する原動機が選択され、６つの１２ボルトバッテリで補われてもよい。原動機出力の他の組み合わせが用いられ、エネルギ蓄積装置からのそれ以上又はそれ以下の電力で補われてもよい。上記の実施例は、従って、限定するものではない。
【００１８】
本発明を実施するための実施形態を、本特許出願の提出時に出願人に知られている構成例を例証する目的のために、ここで説明する。実施例及び図は、説明するためだけのものであり、特許請求の範囲の適用範囲及び精神によって判断される本発明を制限することを意味しない。ここで図面を参照すると、示されているのは、例証する目的の本発明の例示的な実施形態のみであり、それらを制限する目的ではなく、図６〜１０は、溶接装置、特に、図１〜４で検討した構成要素を共有するエンジン駆動溶接装置のブロック図を示している。
【００１９】
図５は、停止−始動コントローラコンポーネント５８０を有するエンジン駆動溶接機５００の例示の実施形態を示している。エンジン駆動溶接機５００は、溶接装置の内部コンポーネントを囲むハウジング５１２を含んでいる。任意に、エンジン駆動溶接機５００は、積載用アイフック５１４及び／又はフォーク凹部を含む。積載用アイフック５１４及びフォーク凹部は、エンジン駆動溶接機５００の可搬性を助長する。任意に、エンジン駆動溶接機５００は、装置可動性の手段としてハンドル及び／又は車輪を含んでいてもよい。ハウジング５１２は、複数の点検用パネル５１８、５２０も含んでいる。点検用パネル５１８はハウジング５１２の上部パネル５２２に対するアクセスを提供する一方で、点検用パネル５２０はハウジング５１２の側面パネル５２４に対するアクセスを提供する。類似の点検用パネルが、反対側で利用可能である。これらの点検用パネル５１８、５２０は、例えば、溶接型の電力を提供するために適したエネルギ蓄積装置を含むエンジン駆動溶接機５００の内部コンポーネントに対するアクセスを提供する。端部パネルは、ハウジング５１２を通る気流を可能にするよう、ルーバ付開口部を含んでいる。
【００２０】
エンジン駆動溶接機５００のハウジング５１２は、また、内燃エンジン５１０を収容している。エンジンは、ハウジング５１２を通って突出する排気ポート５３０及び燃料ポート５３２と動作可能に連結される。排気ポート５３０は、ハウジング５１２の上部パネル５２２の上で延在し、エンジン駆動溶接機５００から離れる方へ排出ガスを向ける。燃料ポート５３２は、上部パネル５２２又は側面パネル５２４を超えて延在しないことが好ましい。かかる構造は、エンジン駆動溶接機５００の運搬及び作動中に燃料ポート５３２を破損から保護している。
【００２１】
エンジン駆動溶接機５００は、エンジン駆動溶接機５００内部の内燃エンジン５１０の動作を始動、停止、又は変更する停止−始動コントローラコンポーネント５８０も含んでいる。停止−始動コントローラコンポーネント５８０は、信号を介して少なくとも部分的に内燃エンジン５１０（及びエンジン駆動溶接機５００の他のコンポーネント）と相互に作用する。例えば、停止−始動コントローラコンポーネント５８０は、内燃エンジン５１０を停止する（例えば、電源を切断し、その内部での燃焼を中止する）よう停止信号を送信し、内燃エンジン５１０を始動する（例えば、電源を投入し、スタータを起動させ、その内部での燃焼を開始する）よう始動信号を送信できる。内燃エンジン５１０又は他のコンポーネントに対する他の信号は、本明細書中の開示を考察することより正しく認識されよう。停止−始動コントローラコンポーネント５８０は、溶接機監視コンポーネント５８２、環境監視コンポーネント５８４、及び活動監視コンポーネント５８６を含む様々な監視装置からセンサデータを受信し、コンポーネントを監視することからの情報を用いて、内燃エンジン５１０の動作を始動、停止、又は変更する。
【００２２】
エンジンがデジタル論理により少なくとも部分的に制御される実施形態において、内燃エンジン５１０の動作を始動、停止、及び／又は変更することは、停止−始動コントローラコンポーネント５８０から内燃エンジン５１０又は他の介在するコンポーネントに信号を送信することによりもたらすことができる。例えば、停止信号は、停止−始動コントローラコンポーネント５８０から送信されてエンジンを停止させることができ、始動信号は、停止−始動コントローラコンポーネント５８０から送信されてエンジンを始動（又は再始動）させることができる。他の信号が、信号を受信することができる制御コンポーネントに用いることができるか、他の制御技法が、代替の実施形態において用いられてもよい。
【００２３】
溶接機監視コンポーネント５８２は、エンジン駆動溶接機５００に関する溶接機パラメータを監視する。かかるパラメータは、一般に、内燃エンジン５１０又はエンジン駆動溶接機５００に関係することができる。内燃エンジン５１０に特に関するパラメータは、エンジン温度、エンジン速度、エンジン整備状況（例えば、全体又は個々のエンジンコンポーネントとしてのエンジンに関する、相対的又は絶対健全性測定値）、及びその他を含む。概してエンジン駆動溶接機５００に関するパラメータは、燃料残量、バッテリ充電又は放電レベル、バッテリ健全性（例えば、残り寿命の割合、元の充電からの割合、使用可能／使用不能セル比率、バッテリ健全性の他の相対的又は絶対測定値）、エンジン駆動溶接機５００の整備状況（例えば、装置５００の全体又は個々のコンポーネントとしての装置５００に関する相対的又は絶対保守測定値）、油量、冷却剤残量、装置温度（例えば、内部、表面、個々のコンポーネント）、燃料消費率、及びその他を含むことができる。
【００２４】
環境監視コンポーネント５８４は、エンジン駆動溶接機５００の外部（例えば、それに影響を及ぼすが、それによって影響されない）の環境パラメータを監視する。環境パラメータは、気温、地面温度、湿度、降水量、風速、気圧、及びその他を含むことができる。
【００２５】
活動監視コンポーネント５８６は、活動履歴を維持するよう、エンジン駆動溶接機５００に関連した活動を監視する。活動履歴は、運転した時間、アイドリングした時間、停止した時間、経時的な負荷の存在、経時的な負荷の大きさ、負荷の数、負荷の種類、及びその他を含むエンジン駆動溶接機５００の内燃エンジン５１０又は他のコンポーネントに関連した情報を追跡できる。監視する活動は、溶接作業に電力を供給すること、溶接作業の実行、及びその他を含むことができる。
【００２６】
溶接機監視コンポーネント５８２及び環境監視コンポーネント５８４からのデータを用いて、停止−始動コントローラコンポーネント５８０は、再始動値を計算する。再始動値は、エンジン駆動溶接機５００に影響を及ぼす条件を与える内燃エンジン５１０を再始動することの容易さ又は困難さを表す複合値である。例えば、寒冷気候及び劣化したバッテリ健全性の組み合わせは、再始動値が、内燃エンジン５１０を再始動させる困難が存在すること（例えば、最初の再始動試みの低い可能性）を示す原因となる可能性がある。代替として、温暖な温度、強いバッテリ健全性、高い燃料残量及び油量、及び、内燃エンジン５１０によって発生される電力に抗して即時引抜きを提供する補助コンポーネントが存在しないことは、結果として、内燃エンジン５１０を再始動させる困難が少ないか、全くないこと（例えば、最初の再始動試みの高い可能性）を示す再始動値をもたらす可能性がある。
【００２７】
停止−始動コントローラコンポーネント５８０は、溶接機監視コンポーネント５８２及び環境監視コンポーネント５８４からのデータに基づいて、継続的に、又は、規定された間隔で再始動値を計算する。各再始動値は、運転範囲と比較される。運転範囲は、停止−始動コントローラコンポーネント５８０が内燃エンジン５１０の運転を開始する、すなわち停止しない再始動値の範囲又はセットである。例えば、再始動値が０（最初の再始動試みの可能性が全くない）と３０（最初の試みで確実に再始動するであろう）との間で計算された場合、再始動値の運転範囲は１０以下であってもよい。従って、再始動値が１０以下である場合、エンジンは、行っている動作を維持できることを確実にするよう、運転し続けるか、再始動される。運転範囲は、また、内燃エンジン５１０がある特定の閾値未満で動作することを維持することが非効率又は不可能である恐れがあるため、下限（例えば、上記の実施例において、運転範囲は５〜１５の間である）を有していてもよい。
【００２８】
少なくとも１つの実施形態において、多数の再始動範囲が存在していてもよい。再始動範囲は、オペレータによって選択されるか、状況に応じて調整されてもよい。例えば、部分的に囲まれた領域における動作中、長時間のアイドリング動作は、排気を低減するよう動機付けを提供する可能性がある。それらを達成するために、オペレータは、再始動値を低下させて、内燃エンジン５１０が継続的に動作する時間を縮小させるかもしれない。別の実施例において、内燃エンジン５１０を好都合に再始動できる技術者、補給トラック、サービスステーション、又はその他のリソースの近傍は、選択された、又は、機能する再始動範囲が慎重なもの（大きい再始動範囲）か、経済的なもの（より小さい再始動範囲）かどうかの一因となる可能性がある。
【００２９】
更に、運転範囲は、１つ以上の実施形態において動的であってもよい。代替又は補足的な実施例において、状況的要因又は作動要件は、経時的に変化してもよい。実施形態において、使用履歴は、エンジン駆動溶接機５００のユーザピークが７：００ＡＭと５：００ＰＭとの間に発生したことを示すことができる。５：００ＰＭ後及び７：００ＡＭ前の使用可能性は低いため、再始動範囲は、これらの時間帯により経済的にされてもよい。代替として、再始動範囲は、燃料効率又は排気要件と一致するよう設定でき、それによって、任意の制約（必要とされるか、切望される）が環境的な理由のため課せられる。従って、運転範囲は、エンジン駆動溶接機５００の使用及び信頼性を最適化するよう調整することができる一方で、依然として、環境又は他の制約と一致する。
【００３０】
停止−始動コントローラコンポーネント５８０は、次いで、活動監視コンポーネント５８６からのデータを解析して、エンジン駆動溶接機５００にかかわる活動のレベル、又はその欠如を決定する。活動は、溶接作業又は溶接作業の電力供給を含むことができるが、これらに限定されない。活動は、また、電力を提供すること又は液圧応用機械、コンプレッサ、又は治工具等の他の作業を行うことも含むことができる。例えば、溶接作業が一時的に中止される場合、溶接機オペレータは、溶接を再開する前に研削盤を使用するかもしれない。研削盤の取り出しは、活動として識別することができる。様々な機能及び付属品を含む溶接装置の多くの変形物が存在するため、活動は、一般に、エンジン駆動溶接機５００又はそれに動作可能に連結されるコンポーネントによって、少なくとも部分的に完了されるか、電力供給されるエンジン駆動溶接機５００の使用と見なすことができる。
【００３１】
停止−始動コントローラコンポーネント５８０は、活動データ及び再始動値と運転範囲との比較に基づいて、内燃エンジン５１０を停止又は始動させる。従って、内燃エンジン５１０を停止させるための決定は、活動及びセンサデータの両方を解析する二分岐であるのに対して、内燃エンジン５１０を始動させるための決定は、センサデータを評価するのみである。停止−始動コントローラコンポーネント５８０は、瞬間的又は履歴上の活動の観点から活動を評価することができ、それによって、内燃エンジン５１０を停止又は始動させるための停止−始動コントローラコンポーネント５８０からの信号は、例えば、使用予想又は最後に使用してからの時間に基づくことができる。例えば、低い履歴上の使用の時間中、又は、一時休止期間の経過後に、停止信号を発行するための決定の活動分岐が満足されてもよい。しかし、間欠的な活動によりこの分岐が満足されない場合、内燃エンジン５１０は、運転し続ける。（これに対する例外が、以下で検討するいくつかの実施形態において存在してもよい。）停止又は始動信号を断定する決定の他の分岐は、再始動値が運転範囲内にあるか、その外側にあるかどうかである。
【００３２】
内燃エンジン５１０は、何の活動も行われていない場合に動作してもよい一方で、活動が行われている場合に、内燃エンジン５１０が停止される頻度は少ない。一般に、何らかの現在の、又は、進行中の活動は、内燃エンジン５１０が運転し続けられることを決定づける。しかし、実施形態において、内燃エンジン５１０は、活動中に停止されてもよい。例えば、エンジン駆動溶接機５００がハイブリッドバッテリ機能を含む実施形態において、再始動値は、依然として運転範囲の外側に留まっていてもよく、内燃エンジン５１０が停止される場合に、バッテリ電力が活動を継続するために用いられてもよい。
【００３３】
実施形態において、本明細書中の活動検出、再始動値、及び他の変数は、減衰、平滑化、又は平均されて突発的な停止又は始動を回避することができる。例えば、瞬時値が数値異常又は間違ったデータに基づいている恐れがあるため、運転範囲内にある瞬時の再始動値は、停止した場合に内燃エンジン５１０を再始動するには不十分である可能性がある。しかし、再始動値が一定期間（例えば、５回の測定間隔、３０秒）にわたって運転範囲内に留まっている場合、内燃エンジン５１０は再始動されてもよい。更に、再始動値の劇的な低下が、再始動前により短い、又は、より制限的でない期間を必要とするのに対して、運転範囲に向かう緩徐な動きがより長い期間を採用できるように、変数の大きさは、期間に影響を及ぼす可能性がある。
【００３４】
１つ以上の実施形態において、エンジン駆動溶接機５００はオーバーライドコンポーネント５８８を含むことができる。オーバーライドコンポーネント５８８は、ユーザが停止−始動コントローラコンポーネント５８０を直接又は別のコンポーネントからの信号を介して無効にすることを可能にするスイッチ、トグル、インターフェース、入力等であってもよい。オーバーライドコンポーネント５８８は、エンジン及び／又は環境に関するパラメータに基づいて、エンジンを停止させるか、エンジンを始動させることの一方又は両方から停止−始動コントローラコンポーネント５８０を無効にする。オーバーライドコンポーネント５８８は、また、エンジン駆動溶接機５００に関する他の自動動作の手動オーバーライドを許可するか、及び／又は、それに関する様々な他のコンポーネント又はセンサをイネーブル／ディスエーブルにするよう構成することができる。
【００３５】
一般に、エンジン駆動溶接機５００、活動が検出されるか、再始動値が運転範囲内にある場合、停止−始動コントローラコンポーネント５８０は、内燃エンジン５１０を始動させる（又は、内燃エンジン５１０を運転し続ける）。特に、再始動値が運転範囲内にあり、内燃エンジン５１０が動作していない場合、停止−始動コントローラコンポーネント５８０は、内燃エンジン５１０を始動させる。再始動値が運転範囲の外側にあり、検出された活動が内燃エンジン５１０を運転し続けることを全く必要としない場合、停止−始動コントローラコンポーネント５８０は、内燃エンジン５１０を停止させる。内燃エンジン５１０の運転を必要とする活動が検出され、内燃エンジン５１０が動作していない場合、停止−始動コントローラコンポーネント５８０は、内燃エンジン５１０を始動させる。オペレータは、オーバーライドコンポーネント５８８を用いて停止−始動コントローラコンポーネント５８０の活動をオーバーライドできる。
【００３６】
図６に目を向けると、示されているのは、停止−始動コントローラ６８０を含む溶接装置６００を示すブロック図である。エンジン駆動溶接機５００と同様に、溶接装置６００も、エンジン６１０、溶接機監視コンポーネント６８２、環境監視コンポーネント６８４、及び活動監視コンポーネント６８６を含んでいる。溶接装置６００は、また、内部／スタータバッテリ、ハイブリッドバッテリベイ、制御部、ディスプレイ、回路、回転子／固定子アセンブリ、ソケット又はコネクタ、及び、エンジン駆動溶接機の変形例の状態で見出せる他の構成要素等の、溶接機に関連する他のコンポーネントを含むことができる溶接機コンポーネント６１２も含んでいる。
【００３７】
溶接機監視コンポーネント６８２、環境監視コンポーネント６８４、及び活動監視コンポーネント６８６は、有線及び／又は無線通信を介して停止−始動コントローラと通信する。停止−始動コントローラコンポーネント５８０は、有線又は無線通信を介して、エンジン６１０及び、いくつかの実施形態において、溶接機コンポーネント６１２と通信し、それらを制御することができる。更に、溶接機監視コンポーネント６８２及び活動監視コンポーネント６８６は、エンジン６１０及び、いくつかの実施形態において、溶接機コンポーネント６１２と、同様の方法で、通信できる。コンポーネントは、他のコンポーネントを用いて、又は、直接通信してもよく、通信される情報は、コンポーネントによって生成又は構築され、センサ、受信機等のような他の構成要素から受信することができる。
【００３８】
図７は、停止−始動コントローラコンポーネント７８０及び補助コンポーネント７９４を含む溶接装置７００を示すブロック図である。エンジン駆動溶接機５００と同様に、溶接装置７００も、エンジン７１０、溶接機監視コンポーネント７８２、環境監視コンポーネント７８４、及び活動監視コンポーネント７８６を含んでいる。溶接装置７００は、また、内部／スタータバッテリ、ハイブリッドバッテリベイ、制御部、ディスプレイ、回路、回転子／固定子アセンブリ、ソケット又はコネクタ、及び、エンジン駆動溶接機の変形例の状態で見出せる他の構成要素等の、溶接機に関連する他のコンポーネントを含むことができる溶接機コンポーネント７１２も含んでいる。
【００３９】
溶接機監視コンポーネント７８２、環境監視コンポーネント７８４、及び活動監視コンポーネント７８６は、有線及び／又は無線通信を介して停止−始動コントローラと通信する。停止−始動コントローラコンポーネント７８０は、有線又は無線通信を介して、エンジン７１０及び、いくつかの実施形態において、溶接機コンポーネント７１２と通信し、それらを制御することができる。更に、溶接機監視コンポーネント７８２及び活動監視コンポーネント７８６は、エンジン７１０及び、いくつかの実施形態において、溶接機コンポーネント７１２と、同様の方法で、通信できる。コンポーネントは、他のコンポーネントを用いて、又は、直接通信してもよく、通信される情報は、コンポーネントによって生成又は構築され、センサ、受信機等のような他の構成要素から受信することができる。
【００４０】
加えて、補助監視コンポーネント７９０は、有線及び／又は無線通信を介して、直接又は１つ以上の介在コンポーネントを通じて、停止−始動コントローラコンポーネント７８０、並びに補助コンポーネント７９４及び補助コントローラコンポーネント７９２と通信する。補助コンポーネント７９４は、例えば、研削盤、コンプレッサ、液圧構成要素等のような、溶接装置７００に取り付けられる１つ以上の補助機能又は装置を含むことができる。補助監視コンポーネント７９０は、補助コンポーネント７９４の活動に関する存在、欠如、又は他の条件を決定するために補助活動情報を提供する。代替又は補足的な実施例において、補助監視コンポーネント７９０は、装置状況、健全性、その他に関する情報を検出して、停止−始動コントローラコンポーネント７８０に、補助コンポーネントに関する情報を含む再始動値を計算することに用いるために提供することができる。停止−始動コントローラコンポーネント７８０は、次いで、活動が補助コンポーネント７９４に存在するかどうか、又は、補助コンポーネント７９４に関する情報の影響に基づいて、計算された再始動値を変更すべきかどうかを決定できる。
【００４１】
特に、実施形態において、補助監視コンポーネント７９０は、エンジン駆動溶接機に動作可能に連結される、補助コンポーネント７９４を含む周辺機器に関する補助パラメータを継続的に監視し、再始動値は、更に、補助パラメータに少なくとも部分的に基づいている。実施形態において、補助パラメータは、補助コンポーネント７９４がエアコンプレッサ及び／又は液圧装置を含む周辺装置等の加圧付属品を含む場合等、圧力値を含むことができる。更なる実施形態において、補助コントローラコンポーネント７９２は、活動履歴及び運転範囲外側にある再始動値に少なくとも部分的に基づいて、エンジンを停止させる前に、エンジンを遮断するための周辺機器を準備できる。例えば、圧力値が低い場合、補助コンポーネント７９４は、エンジン７１０の遮断に対する前提条件として再度加圧できる。
【００４２】
代替として、補助コンポーネント７９４による活動は、溶接装置７００による活動を示す信号と類似した活動信号を提供し、再始動値が運転範囲内又はその外側にあるかどうかにかかわらず、エンジン７１０の停止を結果として防ぐか、変更できる。
【００４３】
ここで本開示の方法論に目を向けると、図８は、内部又は外部パラメータに基づいてエンジン駆動溶接機の動作しているエンジンを停止させるための方法８００のフロー図である。方法８００は、８０２で開始され、エンジンパラメータが監視される８０４に進む。８０６において、環境パラメータが監視される。エンジン及び環境パラメータに基づいて、再始動値が８０８で計算される。エンジン駆動溶接機に関する活動（又はその欠如）は８１０において特定される。
【００４４】
その後、８１２において、遮断条件が評価される。遮断条件は、運転範囲から外れた再始動値と、活動閾値（例えば、一時休止値、使用履歴、使用パターン）未満の活動レベルとを含むが、これらに限定されない。遮断条件が満足されない場合、方法８００は８０４に再循環し、ここで監視を続ける。
【００４５】
遮断条件が８１２において満足された場合、方法８００は８１４に進み、ここでエンジンが停止され、方法８００はその後、８１６において終了する。
【００４６】
図９は、内部又は外部パラメータに基づいてエンジン駆動溶接機のエンジンを始動させるための別の方法９００のフロー図である。方法９００は、９０２で開始され、エンジンパラメータが監視される９０４に進む。９０６において、環境パラメータが監視される。エンジン及び環境パラメータに基づいて、再始動値が９０８で計算される。エンジン駆動溶接機に関する活動（又はその欠如）は９１０において特定される。
【００４７】
その後、９１２において、再始動条件が評価される。再始動条件は、運転範囲に再度入る再始動値、又は、エンジン駆動溶接機に関する活動の存在を含むが、これらに限定されない。再始動条件が満足されない場合、方法９００は９０４に再循環し、ここで監視を続ける。
【００４８】
再始動条件が９１２において満足された場合、方法９００は９１４に進み、ここでエンジンが始動され、方法９００はその後、９１６において終了する。
【００４９】
図１０は、エンジンパラメータ及び環境パラメータに少なくとも部分的に基づいてエンジン駆動溶接機内のエンジンを制御するための別の方法１０００のフロー図である。方法１０００は、１００２で開始され、エンジンパラメータが監視される１００４に進む。１００６において、環境パラメータが監視される。エンジン及び環境パラメータに基づいて、再始動値が１００８で計算される。エンジン駆動溶接機に関する活動（又はその欠如）は１０１０において特定される。
【００５０】
その後、１０１２において、変更条件が評価される。変更条件は、本明細書中の態様に従って、停止されたエンジンが始動されるか、動作しているエンジンが停止されることを決定づける条件を含むが、これらに限定されない。変更条件が満足されない場合、方法１０００は１００４に再循環し、ここで監視を続ける。
【００５１】
変更条件が１０１２において満足された場合、方法１０００は１０１４に進み、ここで、オーバーライドコマンドが（例えば、オーバーライドコンポーネント５８８を用いるオペレータから）発令されているかどうかに関する決定が行われてもよい。オーバーライドが発令されている場合、変更条件は無視され、方法１０００は１０１８に進む。オーバーライドが全く発令されていない場合、又は、何のオーバーライド機能も存在していない場合、方法１０００は１０１６に進む。
【００５２】
オーバーライドが全く発令されていないか、何のオーバーライド機能も存在していない場合、１０１６において、エンジンは、検出された変更条件に応じて、停止又は始動される。方法１０００は、その後、１０１８に進み、ここで、作業が完了したかどうかに関する決定が行われる。作業が完了していない（例えば、更なる溶接が発生するか、予想される、溶接機に関する更なる活動が発生するか、予想される）場合、方法１０００は１００４に再循環し、ここで監視を続ける。しかし、作業が１０１８において完了されたと判断された場合、方法１０００は１０２０において終了する。
【００５３】
本明細書中の開示の実施形態において、エンジン駆動溶接機の溶接機エンジンを管理するための方法は、エンジン駆動溶接機に関する溶接機パラメータを継続的に監視することと、溶接機エンジンに影響を及ぼす環境パラメータを継続的に監視することと、溶接機パラメータ及び環境パラメータに少なくとも部分的に基づいて再始動値を継続的に計算することと、活動履歴を維持するようエンジンに関する活動を継続的に監視することと、活動履歴及び運転範囲の外側にある再始動値に少なくとも部分的に基づいてエンジンを停止させることとを含んでいる。
【００５４】
更なる実施形態は他の態様を含むことができる。例えば、方法において、エンジンに関する活動は溶接作業に電力を供給することを含み、及び／又は、溶接機パラメータは燃料消費量を含んでいる。溶接機パラメータは、バッテリ充電レベル及び／又はバッテリ健全性レベルを含むことができる。方法は、更に、エンジン駆動溶接機に動作可能に連結される周辺機器に関する補助パラメータを継続的に監視することを含むことができ、再始動値は、更に、補助パラメータに少なくとも部分的に基づいている。補助パラメータは圧力値を含むことができる。かかる方法は、更に、活動履歴及び運転範囲外側にある再始動値に少なくとも部分的に基づいて、エンジンを停止させる前に、エンジンを遮断するための周辺機器を準備することを含むことができる。更に別の代替又は補足的な実施形態において、方法は、更に、再始動値が運転範囲に再度入る場合にエンジンを再始動させることを含むことができる。
【００５５】
本明細書中の開示の別の実施形態において、エンジン駆動溶接機は、溶接作業のための電力を発生させるために少なくとも部分的に用いられるエンジンと、エンジンと動作可能に連結されるエンジン駆動溶接システムと、エンジン駆動溶接機に関する溶接機パラメータを監視する溶接機監視コンポーネントと、外部環境に関する環境パラメータを監視する環境監視コンポーネントと、活動履歴を維持するようエンジン駆動溶接機に関する活動を監視する活動監視コンポーネントと、溶接機パラメータ及び環境パラメータに少なくとも部分的に基づいて再始動値を計算する停止−始動コントローラコンポーネントとを備える。かかる実施形態において、停止−始動コントローラコンポーネントは、活動履歴及び再始動値と運転範囲との比較に基づいて、エンジンを停止又は始動させる。
【００５６】
かかる実施形態の更なる態様は、エンジンに関する活動が溶接作業に電力を供給することを含むことを提供できる。溶接機パラメータは、燃料消費量、バッテリ充電レベル、及び／又はバッテリ健全性レベルを含むことができる。更なる実施形態において、システムは、更に、エンジン駆動溶接機に動作可能に連結される周辺機器に関する補助パラメータを監視する補助監視コンポーネントを含むことができ、再始動値は、更に、補助パラメータに少なくとも部分的に基づいている。更なる実施形態において、補助パラメータは圧力値を含んでいる。また更なる代替又は補足的な実施形態において、システムは、更に、活動履歴及び運転範囲外側にある再始動値に少なくとも部分的に基づいて、エンジンを停止させる前に、エンジンを遮断するための周辺機器を準備する補助コントローラを備える。
【００５７】
別の実施形態において、溶接システムは、溶接作業用の電力を提供するための手段と、溶接作業用の電力を提供するための手段に関する溶接機パラメータを継続的に監視するための手段と、溶接作業用の電力を提供するための手段に影響を及ぼす環境パラメータを継続的に監視するための手段と、溶接機パラメータ及び環境パラメータに少なくとも部分的に基づいて再始動値を継続的に計算するための手段と、活動履歴を維持するようエンジンに関する活動を継続的に監視するための手段と、活動履歴及び運転範囲の外側にある再始動値に少なくとも部分的に基づいてエンジンを停止させるための手段とを備える。
【００５８】
更なる実施形態は、溶接作業用の電力を提供するための手段と動作可能に連結される周辺機器に関する補助パラメータを継続的に監視するための手段を備え、再始動値は補助パラメータに少なくとも部分的に基づいている。溶接システムは、また、代替又は補足的な実施形態において、活動履歴及び運転範囲外側にある再始動値に少なくとも部分的に基づいて、エンジンを停止させる前に、エンジンを遮断するための周辺機器を準備するための手段を含むことができる。溶接機パラメータは、燃料消費量、バッテリ充電レベル、及び／又はバッテリ健全性レベルを含むことができる。
【００５９】
本明細書中で検討した実施形態は、上で検討したシステム及び方法に関連する一方で、これらの実施形態は、例示することを目的とし、これらの実施形態の適用性を本明細書中で説明したそれらの検討だけに制限することを意図していない。本明細書中で検討した制御システム及び方法は、上で検討した発明の精神又は適用範囲から逸脱することなく、アーク溶接、レーザ溶接、ろう付け、はんだ付け、プラズマ切断、ウォータージェット切断、レーザ切断に関するシステム及び方法、並びに、類似した制御方法を用いるその他のシステム及び方法に等しく適用可能であるか、それらにおいて利用することができる。本明細書中の実施形態及び検討は、当業者によってこれらのシステム及び方法のいずれかに容易に組み込むことができる。例としてであり、制限するものではなく、本明細書中で用いられる電力供給装置（例えば、特に溶接電力供給装置）は、特に、溶接、アーク溶接、レーザ溶接、ろう付け、はんだ付け、プラズマ切断、ウォータージェット切断、レーザ切断を行う装置のための電力供給装置であってもよい。従って、確実な技術及び判断のうちの１つは、主題発明の実施形態の意図する適用範囲及び有効範囲から逸脱する溶接電力供給装置以外の電力供給装置を選択することができる。
【００６０】
本明細書中の態様は、溶接作業に用いられる電極の貯蔵に向けられている一方で、１つ以上のコンパートメントが他の材料の貯蔵のために構成されてもよいことは、言うまでもない。更に、特定種類の交換器が、環境制御のための生成物又は副産物を利用する観点から検討される一方で、当業者は、環境パラメータを制御することを再度目的とすることができる他のエネルギ源（例えば、使用を通じて熱を発生する溶接システムの他のコンポーネント）を正しく認識するであろう。更に、本開示の一部が、加熱又は湿気を下げることに向けられている一方で、かかる態様は、説明した実施例を呈示する可能性のある実施形態として説明されており、網羅的又は必要とされるものとして解釈すべきではない。加湿、冷却、その他を含む他のパラメータ制御手順は、イノベーションの適用範囲又は精神から逸脱することなく、本明細書中で利用できる。少なくとも１つの実施形態において、環境制御される電極貯蔵コンパートメントの少なくとも一部は、貯蔵される電極の特性を変更して作業のために電極を準備する物質を意図的に含み、その使用における特定の特性の表明を容易にすることができる。
【００６１】
上記の実施例は、本発明の様々な態様のいくつか可能性のある実施形態の単なる例示であり、同等の代替及び／又は変形例は、本明細書及び添付図面を読み、理解することにより同業者にとって考え付くであろう。特に、上で説明したコンポーネント（アセンブリ、装置、システム、回路、等）によって実行される様々な機能に関して、かかるコンポーネントを説明するために用いられる用語（「意味」に対する言及を含む）は、特に指定しない限り、本発明の図示した実装内の機能を実行する開示構造と構造的に同等ではないとしても、説明したコンポーネントの特定の機能（例えば、機能的に同等である）を実行するハードウェア、ソフトウェア、又はそれらの組み合わせ等の何らかのコンポーネントに相当することを意図している。加えて、本発明の特定の特徴は、１つだけの、又は、いくつかの実装に関して開示されていてもよいが、かかる特徴は、何らかの所定又は特定の用途にとって望ましいか、有利であってもよいような他の実装の１つ以上の他の特徴と組み合わされてもよい。また、用語「含むこと」、「含む」、「有すること」、「有する」、「持つ」、又はそれらの変形例が詳細な説明及び／又は特許請求の範囲において用いられる範囲で、かかる用語は、用語「備える」と類似した要領で包括するものであることを意図している。
【００６２】
この明細書は実施例を用いて、いずれかの装置又はシステムを作成及び用いることと、いずれかの組み合わせた方法を実行することとを含む、本発明を開示し、また、当業者が本発明を実施することを可能にしている。本発明の特許を受けることができる適用範囲は、特許請求の範囲によって規定され、当業者に生じる他の実施例を含んでいてもよい。かかる他の実施例は、それらが、特許請求の範囲の文言とは異なっていない構造的構成要素を有していれば、又は、それらが、特許請求の範囲の文言とは不十分な差異を有する同等の構造的構成要素を含んでいれば、特許請求の範囲の適用範囲内にあることを意図している。明らかに、変形例及び代替例が、明細書を読み、理解することにより他の者に生じるであろう。それらが添付特許請求の範囲の適用範囲又は精神、若しくはそれらの均等物内にある限り、かかる全ての変形例及び代替例を含むことを意図している。
【符号の説明】
【００６３】
１００  溶接型装置又はエンジン駆動溶接機
１１２  ハウジング
１１４  アイフック
１１８  点検用パネル
１２０  点検用パネル
１２２  上部パネル
１２４  側面パネル
１３０  排気ポート
１３２  燃料ポート
２００  エンジン駆動溶接機
２０５  溶接型機器
２１０  電源
２１２  ハウジング
２１３  制御コンポーネント
２１４  ハンドル
２１６  トーチ
２１８  クランプ
２２０  母材
２２２  ケーブル
２２４  ケーブル
２２６  エネルギ蓄積装置
２２８  ハウジング
２３０  締結手段
３００  トレーラ
３０１  トレーラヒッチ部
３０２  トレーラフレーム部
３０４  トレーラ車輪
３０６  積載領域
３０９  電力供給装置
３１０  調節可能スタンド
３１２  前端部
３１４  締結具
４００  溶接機又はエンジン駆動溶接機
４１１  燃料貯蔵部
４１２  原動機駆動溶接機アセンブリ
４１３  原動機又はエンジン
５００  エンジン駆動溶接機
５１０  エンジン
５１２  ハウジング
５１４  アイフック
５１８  点検用パネル
５２０  点検用パネル
５２２  上部パネル
５２４  側面パネル
５３０  排気ポート
５３２  燃料ポート
５８０  停止−始動コントローラコンポーネント
５８２  溶接機監視コンポーネント
５８４  環境監視コンポーネント
５８６  活動監視コンポーネント
５８８  オーバーライドコンポーネント
６００  溶接装置又はエンジン駆動溶接機
６１０  エンジン
６１２  溶接機コンポーネント
６８０  停止−始動コントローラ又はソフト−始動コントローラコンポーネント
６８２  溶接機監視コンポーネント
６８４  環境監視コンポーネント
６８６  活動監視コンポーネント
７００  溶接装置又はエンジン駆動溶接機
７１０  エンジン
７１２  溶接機コンポーネント
７８０  停止−始動コントローラコンポーネント
７８２  監視コンポーネント
７８４  環境監視コンポーネント
７８６  活動監視コンポーネント
７９０  補助監視コンポーネント
７９２  補助コントローラコンポーネント
７９４  補助コンポーネント
８００  方法
８０２  ステップ
８０４  ステップ
８０６  ステップ
８０８  ステップ
８１０  ステップ
８１２  ステップ
８１４  ステップ
８１６  ステップ
９００  方法
９０２  ステップ
９０４  ステップ
９０６  ステップ
９０８  ステップ
９１０  ステップ
９１２  ステップ
９１４  ステップ
９１６  ステップ
１０００  方法
１００２  ステップ
１００４  ステップ
１００６  ステップ
１００８  ステップ
１０１０  ステップ
１０１２  ステップ
１０１４  ステップ
１０１６  ステップ
１０１８  ステップ
１０２０  ステップ
【図１】
0006687604.tif 000002
【図２】
0006687604.tif 000003
【図３】
0006687604.tif 000004
【図４】
0006687604.tif 000005
【図５】
0006687604.tif 000006
【図６】
0006687604.tif 000007
【図７】
0006687604.tif 000008
【図８】
0006687604.tif 000009
【図９】
0006687604.tif 000010
【図１０】
0006687604.tif 000011